(57)【要約】    【課題】      正規の名札表示装置を携帯していなかったり、偽造等した不審者等が侵入しても簡単かつ迅速に当該不審者等を検出すること。    【解決手段】  名札表示装置１０では、コントローラ３の制御の下、超音波送受信手段５が所定周波数の超音波を送信すると共に、外部から超音波を受信する。そして、超音波送受信手段５が超音波を受信すると、超音波解析手段６が受信した超音波を解析して、名札表示装置１０を携帯していない者や、名札表示装置１０を偽造した者である不審者を検出して、コントローラ３へ出力する。すると、コントローラ３は、表示部４の表示を変更して、周囲の者に知らせたり、また、通信手段２を介し不審者を検出したことを他の名札表示装置１０に対し送信して、他の名札表示装置１０のユーザに不審者がいることを知らせる。これにより、簡単に不審者を発見することができる。  【選択図】      図１
2006227804.tif 000002
【特許請求の範囲】
【請求項１】
個人を特定する個人特定情報を表示する表示手段と、
超音波を送受信する超音波送受信手段と、
受信した超音波を解析して正規のものでない超音波を受信した場合、その旨を出力する超音波解析手段と、
を備えた名札表示装置。
【請求項２】
請求項１記載の名札表示装置であって、
前記超音波受信手段は、離間した二以上の超音波受信素子を有しており、
前記超音波解析手段は、前記二以上の超音波受信素子が受信した超音波を解析して正規のものでない超音波を受信した場合、その旨を出力すると共に、当該超音波の入射方向を検出する、
名札表示装置。
【請求項３】
請求項１または請求項２記載の名札表示装置であって、
前記個人特定情報は、個人の名前と属性とである、
名札表示装置。
【請求項４】
請求項１〜請求項３のいずれか一の請求項に記載の名札表示装置であって、
前記超音波解析手段は、正規のものでない超音波を受信した場合、その旨を前記表示手段に出力して表示を変えさせ、正規の名札表示装置を保持しない人の存在を知らせる、
名札表示装置。
【請求項５】
請求項１〜請求項４のいずれか一の請求項に記載の名札表示装置であって、
さらに、
前記超音波解析手段から正規のものでない超音波を受信した旨を受けた場合、他の名札表示装置にその旨を送信する通信手段を有し、
他の名札表示装置にて正規の名札表示装置を保持しない人の存在を知らせる、
名札表示装置。
【請求項６】
請求項１〜請求項４のいずれか一の請求項に記載の名札表示装置であって、
さらに、
他の名札表示装置が正規のものでない超音波を受信した旨を送信した場合、前記他の名札表示装置からその旨を受信する通信手段を有し、
受信されたその旨に基づき正規の名札表示装置を保持しない人の存在を知らせる、
名札表示装置。
【請求項７】
請求項１〜請求項６のいずれか一の請求項に記載の名札表示装置であって、
超音波送信手段は、所定期間あるいは任意の期間毎に送信する超音波の周波数を変える、
名札表示装置。
【請求項８】
名札等の表示手段に個人を特定する個人特定情報を表示させる場合の名札表示方法であって、
超音波を受信して解析し、正規のものでない超音波を受信した場合、その旨を出力する、名札表示方法。
【請求項９】
コンピュータにより、名札等の表示手段に個人を特定する個人特定情報を表示させるための名札表示用プログラムであって、
超音波を受信して解析し、正規のものでない超音波を受信した場合、その旨を出力する、ことをコンピュータに実行させる名札表示用プログラム。
【発明の詳細な説明】
【技術分野】
【０００１】
本発明は、表示手段に名前や属性等の個人特定情報を表示する名札表示装置、名札表示方法、名札表示用プログラムに関する。
【背景技術】
【０００２】
従来の無線ＩＣタグを用いた認証システムにおいて、正規の無線タグを持っていない人物（不携帯者）を特定する技術として、従来、特許文献１に示すような技術がある。
【０００３】
図１０〜図１２は、従来の不携帯者検出システムを説明する図である。
【０００４】
図１０は、従来の不携帯者検出システムの構成を示しており、従来システムは、送受信機３１Ｂと、複数領域に配置した複数のカメラ４０Ｂとから構成されており、送受信機３１Ｂは、無線タグが領域内に入ると無線タグの電波を受信する。
【０００５】
図１１は、従来の不携帯者検出システムの不携帯者検出処理を示しており、従来は、領域内にいる無線タグ携帯者の人数を検出すると同時にカメラで領域を撮影して画像処理によって映像中の人物を検出し、領域内の人数をカウントする。カメラに映った人数と無線タグで検出した無線タグ携帯者の数が合わなければ不携帯者がいると判断する。
【０００６】
また、映像中の人物を検出する際に、図１２に示すように識別番号（ＩＤ）と人物のサイズや色の特徴を記憶したテーブルを参照して、人数だけではなく、どの人が不携帯者かを特定するようにしている。
【特許文献１】特開２００４−５５１１号公報
【発明の開示】
【発明が解決しようとする課題】
【０００７】
しかし、前述の従来の入退室管理システムでは、誰が正規なタグの不携帯者なのかを管理者が現場に行く以外に周囲の人に知らせる良い方法が無い、という課題がある。
【０００８】
また、正規なタグの不携帯者を発見しても、管理者のみが存在を把握しており、管理者以外が不携帯者の存在を即座に判らない、という課題もある。
【０００９】
さらには、カメラ画像から抽出される色等の特徴量は光源などの様々な状態によって変化するので、誤検出を起こしやすい、という課題もある。
【００１０】
そこで、本発明は、正規の名札表示装置を携帯していなかったり、偽造等した不審者等が侵入しても、簡単かつ迅速に当該不審者等を検出することができる名札表示装置、名札表示方法、名札表示用プログラムを提供することを目的とする。
【課題を解決するための手段】
【００１１】
前記の課題を解決するために本発明の名札表示装置は、個人を特定する個人特定情報を表示する表示手段と、超音波を送受信する超音波送受信手段と、受信した超音波を解析して正規のものでない超音波を受信した場合、その旨を出力する超音波解析手段と、を有する構成を採る。
【発明の効果】
【００１２】
本発明の名札表示装置によれば、超音波を送信すると共に、超音波を受信して受信した超音波を解析して正規のものでない超音波を受信した場合、その旨を出力するようにしたので、正規の名札表示装置を携帯していなかったり、偽造等した不審者等が侵入しても、簡単かつ迅速に当該不審者等を検出することができる。
【発明を実施するための最良の形態】
【００１３】
以下、本発明の実施の形態について、図面を用いて説明する。
【００１４】
（実施の形態１）
図１は、本発明に係る実施の形態１の名札表示装置１０の構成図である。
【００１５】
図１において、この実施の形態１の名札表示装置１０は、記憶領域１と、通信手段２と、コントローラ３と、表示部４と、超音波送受信手段５と、超音波解析手段６とを有している。本実施の形態は、このような構成を有する複数の名札表示装置１０から構成されている。
【００１６】
なお、本実施の形態１では、複数の名札表示装置１０を、例えば、ゾーンでセキュリティ管理している会社や施設における室内外、特に、室内において使用することを前提にしている。なお、名札表示装置１０は、携帯可能なものであれば、例えば、ＩＣカード等の識別装置でも良い。また、このような名札表示装置１０から送られてくるデータを受信可能なサーバ装置（図示せず。）を備え、不審者や正規の名札表示装置１０を有するユーザを管理するシステムを構築するようにしても勿論良い。
【００１７】
記憶領域１は、名札表示装置１０において表示内容の情報及び他の正規の名札表示装置１０からの超音波の情報を格納しておくものである。
【００１８】
通信手段２は、他の名刺表示装置１０との間で電波の送受信により不審者を発見したこと等を通知するものである。
【００１９】
コントローラ３は、記憶領域１や、通信手段２、表示部４、超音波送受信手段５、超音波解析手段６を制御するものである。
【００２０】
表示部４は、名前やその職制等の属性等の個人特定情報を表示すると共に、コントローラ３から指令される表示内容を表示するものである。なお、名前等の個人特定情報は、表示部４上ではなく、名札表示装置１０の表面に印字等されていても勿論よい。
【００２１】
超音波送受信手段５は、超音波を送受信するものである。
【００２２】
超音波解析手段６は、超音波送受信手段５で受信した超音波を解析して不審者を発見するものである。
【００２３】
次に動作を説明する。
【００２４】
図２は、名札表示装置１０が正規の名札表示装置１０の不携帯者の検出処理を示すフローチャートである。
【００２５】
名札表示装置１０の処理は、名札表示装置１０の電源投入時に起動される。なお、あらかじめ超音波送受信手段５が超音波を送信する送信時間間隔Ｔや、その周波数は記憶領域１に予め設定しておく。また、名札表示装置１０は複数のユーザにそれぞれ携帯させるので、各名札表示装置１０の超音波周波数は、全て同じにするのが望ましい。
【００２６】
複数の名札表示装置１０において、電源の投入により、コントローラ３が起動して、超音波送受信手段５が前方に超音波を送信する（ステップ２０１）。なお、送信する際は、名札表示装置１０が送受信している超音波であること等を示す特定のコードを載せて送ると共に、発信時刻を記憶領域１に記憶する。
【００２７】
すると、ある者に掲げられた名札表示装置１０では、超音波送受信手段５が他の者の名札表示装置１０からの超音波Ｒを受信し（ステップ２０２）、超音波解析手段６がその超音波Ｒが自己の名札表示装置１０が送信した超音波の反射波であるか否かを判断する（ステップ２０３）。
【００２８】
ここで、自己の名札表示装置１０が送信した超音波の反射波でないと判断した場合（ステップ２０３“ＮＯ”）、超音波解析手段６は、続いてその反射波Ｒが正規の超音波、すなわち他の者の正規の名札表示装置１０からの超音波Ｒであるか否かを判断する（ステップ２０４）。なお、この際の判断は、複数の名札表示装置１０にて予め決めておいた周波数は、記憶領域１に記憶しておいた超音波の周波数や送信パワー等に基づいて判断する。
【００２９】
ここで、正規の超音波であると判断した場合（ステップ２０４“ＹＥＳ”）、およびその前の判断で自己の名札表示装置１０が送信した超音波の反射波であると判断した場合（ステップ２０３“ＹＥＳ”）、超音波送受信手段５は、次の超音波を発信するかを、タイマー等を呼び出して現在時刻と発信時刻から判断する（ステップ２０７）。そして、まだ超音波を発信した時刻からの時間が超音波の送信時間間隔Ｔより短い場合（ステップ２０７“ＮＯ”）、超音波送受信手段５は、ステップ２０２に戻り、超音波の受信処理を行う。
【００３０】
その一方、超音波の送信時間間隔Ｔより長い場合（ステップ２０７“ＹＥＳ”）、超音波解析手段６は、続いて、受信した反射波の周波数や、時間差等より、名札表示装置１０のユーザの周りにいる者と、正規の名札表示装置１０の数とを比較して、正規の名札表示装置１０の不携帯者がいるか否かを判断する（ステップ２０８）。
【００３１】
名札表示装置１０のユーザの周りにいる者と正規の名札表示装置１０の数とが一致せず、正規の名札表示装置１０の不携帯者がいると判断した場合（ステップ２０８“ＹＥＳ”）、超音波解析手段６は、不審者検出信号を送受信して（ステップ２０５）、他の名札表示装置１０および自身の名札表示装置１０にて表示を変え（ステップ２０６）、ステップ２０１に戻る。その一方、名札表示装置１０のユーザの周りにいる者と正規の名札表示装置１０の数とが一致して正規の名札表示装置１０の不携帯者がいない場合は（テップ２０８“ＮＯ”）、そのままステップ２０１に戻る。なお、ステップ２０８における正規の名札表示装置１０の不携帯者がいるか否かの判断の際、本実施の形態１では、受信した反射波の周波数および時間差により判断するが、後述する実施の形態２では、受信した反射波の周波数および時間差だけでなく、さらに反射波の入射方向（角度）に基づいて、名札表示装置１０のユーザの周りにいる者と、正規の名札表示装置１０の数とを比較する。
【００３２】
これに対し、超音波送受信手段５が超音波を受信し、超音波が反射波でなく（ステップ２０３“ＮＯ”）、かつ、正規の超音波でもない（ステップ２０４“ＮＯ”）と判断した場合、超音波解析手段６は、その超音波を送信または反射してきた者や、その名札表示装置は正規の名札表示装置１０でないと判断し、コントローラ３の制御の下、通信手段２から他の名札表示装置１０が不審者検出信号を送信し（ステップ２０５）、表示部４が表示の色や点滅等を行って表示を変えて（ステップ２０６）、ステップ２０１に戻る。
【００３３】
従って、正規の名札表示装置１０の不携帯者や偽造等をした不審者を発見した名札表示装置１０のユーザは、不審者の侵入をその名札表示装置１０の表示部４により知ることができる。
【００３４】
図３は、他の名札表示装置１０から不審者検出信号を受けた際の処理を示すフローチャートである。
【００３５】
各名札表示装置１０では、常に他の名札表示装置１０から不審者検出信号を受信するか否かを判断しており（ステップ３０１）、通信手段２が他の名札表示装置１０から不審者検出信号を受信した場合には（ステップ３０１“ＹＥＳ”）、コントローラ３が表示部４の表示を変更する（ステップ３０２）。
【００３６】
このような図２および図３に示す処理により、不審者を発見した名札表示装置１０、およびその名札表示装置１０から不審者検出信号を受信した他の名札表示装置１０のユーザは、不審者の侵入を、それぞれ名札表示装置１０の表示部４を介し知ることができる。
【００３７】
ここで、名札表示装置１０の表示により正規の名札表示装置１０の不携帯者を判断するためには、不審者と対面した場合に、不審者と対面した正規の名札表示装置１０のユーザの当該名札表示装置１０の表示部４の表示のみを変えても良いが、その他の全ての名札表示装置１０の表示を変えるのが、表示が目につく割合が高く、効果的である。
【００３８】
また、対面した不審者に見破られないように、不審者に対面した正規の名札表示装置１０のユーザの当該名札表示装置１０の表示部４の表示は変えず、その他の全ての名札表示装置１０の表示を変えるようにしても勿論よい。
【００３９】
また、さらに、表示部４の表示を変えて不審者の侵入を知らせるだけでなく、振動手段等を設けて、名札表示装置１０の振動により当該名札表示装置１０の携帯者や、その他の名札表示装置１０の携帯者に知らせても良いし、不審者に対面した正規の名札表示装置１０のユーザには振動により不審者を検出したことを伝え、その他の全てのユーザの名札表示装置１０では表示を変えるようにしても勿論よい。
【００４０】
次に、名札表示装置１０を有する者が正規の名札表示装置１０を携帯していない者や、正規の名札表示装置１０を携帯している者、正規でない不正の名札表示装置２０を有する者などと対面通行する場合の状態およびその際の送受信される超音波の周波数などについて、図面を参照して説明する。
【００４１】
図４（ａ）は、正規の名札表示装置１０を携帯せず超音波を発していない不審者と、正規の名札表示装置１０を携帯しているユーザＡとが対面通行する場合を示す図である。
【００４２】
この場合、図４（ｂ）に示すように、ユーザＡの名札表示装置１０から発せられた超音波Ｐが不審者に反射して位相が反転して反射波Ｑとなり、当該ユーザＡの名札表示装置１０の超音波送受信手段５にて受信される状態を示している。
【００４３】
つまり、この場合では、ユーザＡの名札表示装置１０が受信する超音波は、ユーザＡの名札表示装置１０が発信する超音波Ｐが、不審者や壁等に当たって反射してくる反射波Ｑのみとなる。不審者に当たって反射してくる超音波Ｐの反射波Ｑは、図４（ｂ）に示すように、ユーザＡと、不審者との歩行によるドップラー効果の影響を受け、ユーザＡの名札表示装置１０が発信した超音波Ｐより周波数が高くなるが、その周波数の範囲は、人間の歩く速さの限界等からおよそ想定できる。しかも戻ってくるまでの間に、超音波Ｐよりもそのパワーが減衰した超音波となる。
【００４４】
このため、名札表示装置１０の超音波解析手段６では、記憶領域１に予め記憶された超音波送受信手段５が送信する超音波Ｐの周波数やパワーに基づいて、反射波Ｑの周波数やパワーを解析することにより、反射波Ｑが超音波Ｐの反射波であることを検出することができる。
【００４５】
図５（ａ）は、正規の名札表示装置１０を携帯するユーザＡ、Ｂが対面通行する状態を説明する図、図５（ｂ）は、正規の名札表示装置１０を携帯するユーザＡ、Ｂが対面通行する際の超音波の状態を説明する図である。
【００４６】
図５（ａ）に示すように、正規の名札表示装置１０を携帯するユーザＡ、Ｂが対面通行するので、正規の名札表示装置１０を携帯するユーザＡの名札表示装置１０では、ユーザＢの正規の名札表示装置１０から発信された超音波Ｒが受信される一方、ユーザＢの名札表示装置１０では、ユーザＡの名札表示装置１０から発信された超音波Ｐが受信される。
【００４７】
つまり、この場合は、ユーザＡの名札表示装置１０が受信する超音波は、ユーザＢの名札表示装置１０が発信する超音波Ｒと、ユーザＡの名札表示装置１０が発信する超音波Ｐの反射波Ｑの二つである。超音波Ｒは、正規のユーザＢの名札表示装置１０から出されているので、ユーザＡの名札表示装置１０が発信した超音波Ｐと送信された瞬間の周波数は同じであるが、ユーザＡとユーザＢの歩行によるドップラー効果の影響を受けて、ユーザＡが受けた際には、超音波Ｐよりも周波数が高くなる。
【００４８】
しかし、超音波Ｒの周波数の範囲は、人の歩行速度による程度であり、予測できる。しかも、ユーザＢの名札表示装置１０から出された超音波Ｒは、ユーザＡの名札表示装置１０が発信した超音波Ｐの反射波Ｑよりも減衰しない。
【００４９】
よって、正規の名札表示装置１０を有しているユーザＡが対面してすれ違う相手が不審者の場合と、正規の名札表示装置１０を有しているユーザＢの場合、図４（ｂ）および図５（ｂ）に示すように、正規の名札表示装置１０が受信する超音波が異なるので、ユーザＡの名札表示装置１０では、超音波解析手段６がユーザＢの名札表示装置１０から出された超音波Ｒと、ユーザＡの名札表示装置１０が発信した超音波Ｐの反射波Ｑとを、その周波数や、パワーに基づいて区別することができる。
【００５０】
つまり、対面して相手とすれ違う場合に、正規の名札表示装置１０が受信する超音波が反射波Ｑのみである場合は、対面してすれ違った相手は正規の名札表示装置１０の不携帯者や不審者であるのに対し、正規の名札表示装置１０が受信する超音波が正規の名札表示装置１０から発信された超音波Ｒを含む場合は、対面してすれ違った相手は正規の名札表示装置１０のユーザであると判断することができる。
【００５１】
なお、通常、不審者は、正規の名札表示装置１０が超音波を発信することさえ知らないので普通であるので、外観は正規の名札表示装置１０と同じものを偽造しても、正規の名札表示装置１０のように超音波を発信することまでは偽造できないので、外観だけ正規の名札表示装置１０と同じように偽造した場合には、図４の場合と同様に、正規の名札表示装置１０を携帯していないものとして発見されることになる。
【００５２】
次に、不審者が正規の名札表示装置１０と同様に超音波を発信することまで偽造した場合について説明する。
【００５３】
図６（ａ）は、正規の名札表示装置１０を携帯するユーザＡと、正規の名札表示装置１０とは異なる超音波の周波数を発信する不正な名札表示装置２０を携帯する不審者が対面通行する状態を説明する図であり、図６（ｂ）は、正規の名札表示装置１０を携帯するユーザＡと、正規の名札表示装置１０とは異なる超音波の周波数を発信する不正な名札表示装置２０を携帯する不審者が対面通行する際の超音波の状態を説明する図である。
【００５４】
この場合、図６（ａ）に示すように、正規の名札表示装置１０を携帯するユーザＡと対面する通行者が不正な名札表示装置２０を携帯している不審者の場合であるので、図６（ｂ）に示すように、ユーザＡの名札表示装置１０が受信する超音波は、不審者の名札表示装置２０が発信する超音波Ｓと、ユーザＡの名札表示装置１０が発信する超音波Ｐの反射波Ｑとの二つである。
【００５５】
不審者は、通常、正規の名札表示装置１０の超音波送受信手段５が発信する超音波の発信周波数やパワーを知りえないので、不審者の名札表示装置２０が発信する超音波Ｓの周波数やパワーは、正規の名札表示装置１０が発信する超音波Ｐの周波数やパワーと異なる。
【００５６】
その結果、不審者と対面通行するユーザＡの名札表示装置１０の超音波送受信手段５が受信する超音波の周波数は、不審者の名札表示装置２０が発信する超音波Ｓと、ユーザＡの名札表示装置１０が発信する超音波Ｐの反射波Ｑとを受信し、超音波解析手段６が超音波Ｓと反射波Ｑとの２つの超音波の周波数や、パワーに基づいて区別して、超音波Ｐおよびその反射波Ｑとは異なるパワーあるいは周波数の超音波Ｓが受信されていると判断した場合、不審者の名札表示装置２０から出された超音波Ｓを不正な名札表示装置であると認識して、不正な名札表示装置２０を持っている不審者の存在が判る。
【００５７】
図７（ａ）は、正規の名札表示装置１０の保持者であるユーザＡと、正規でない不正な名札表示装置２０の保持者である不審者および正規の名札表示装置１０の保持者であるユーザＢとが対面して接近する状態を説明する図であり、図７（ｂ）は、正規の名札表示装置１０の保持者であるユーザＡと、正規でない不正な名札表示装置２０の保持者である不審者および正規の名札表示装置１０の保持者であるユーザＢとが対面して接近する際の超音波の状態を説明する図である。
【００５８】
この場合は、図５と図６との組み合わせになり、ユーザＡの正規な名札表示装置１０は、自身の名札表示装置１０が発信した超音波Ｐの反射波Ｑと、ユーザＢの正規の名札表示装置１０が発信した超音波Ｒと、不審者の名札表示装置２０が発信した超音波Ｓとを受信することになる。
【００５９】
よって、このような場合でも、ユーザＡの名札表示装置１０の超音波解析手段６は、受信した反射波Ｑ、超音波Ｒ、超音波Ｓの周波数やパワーを比較することにより、不審者の名札表示装置２０が発信した超音波Ｓを検出することができ、正規でない不正な名札表示装置２０の保持している不審者を発見することができる。
【００６０】
なお、正規の名札表示装置１０の保持者であるユーザＢも、同様に、正規の名札表示装置１０の保持者であるユーザＡの場合と同様にして、不審者の名札表示装置２０が発信した超音波Ｓを検出することができ、不審者を発見することができる。
【００６１】
図８（ａ）は、正規の名札表示装置１０の保持者であるユーザＡと、正規な名札表示装置１０を携帯していない不審者および正規の名札表示装置１０の保持者であるユーザＢとが対面して接近する状態を説明する図であり、図８（ｂ）は、正規の名札表示装置１０の保持者であるユーザＡと、正規な名札表示装置１０を携帯していない不審者および正規の名札表示装置１０の保持者であるユーザＢとが対面して接近する際の超音波の状態を説明する図である。
【００６２】
この場合は、図４と図５との組み合わせになり、ユーザＡの正規な名札表示装置１０は、自身の名札表示装置１０が発信した超音波Ｐによる不審者からの反射波Ｑ１と、自身の名札表示装置１０が発信した超音波ＰによるユーザＢからの反射波Ｑ２と、ユーザＢの正規の名札表示装置１０が発信した超音波Ｒとを受信することになる。
【００６３】
よって、このような場合でも、不審者が動いている場合には、ユーザＡの名札表示装置１０の超音波解析手段６は、受信した反射波Ｑ１、反射波Ｑ２、超音波Ｒの周波数やパワーを比較することにより、壁等からの反射波とは周波数が異なる反射波Ｑ１、反射波Ｑ２があって、しかもその数が２であるのに対し、ユーザＢの正規の名札表示装置１０から発信された超音波Ｒが１つであること等に基づいて、正規な名札表示装置１０を携帯しない不審者を検出することができ、不審者を発見することができる。
【００６４】
このように、本実施の形態１の名札表示装置１０によれば、超音波送受信手段５が所定周波数の超音波を送受信して、超音波解析手段６が受信した超音波を解析して、名札表示装置１０を携帯していない者や、名札表示装置１０を偽造した者である不審者を検出することができ、簡単に不審者を発見することができる。
【００６５】
また、本実施の形態１の名札表示装置１０では、通信手段２を設けており、不審者を発見した名札表示装置１０では、他の名札表示装置１０に対し、不審者を発見した旨を示す信号を送信し、その信号を受信した名札表示装置１０では表示部４の表示を変更するようにしたので、安全かつ確実に不審者を発見することができるだけでなく、他の名札表示装置１０の携帯者に知らせることができる。なお、不審者を発見した名札表示装置１０のみで不審者の侵入を知らせ、他の名札表示装置１０に対し不審者を発見した旨を示す信号を送信しない場合には、この通信手段２を省略するようにしても勿論良い。
【００６６】
その結果、本実施の形態１の名札表示装置１０を複数用意して、全社員に必ず携帯させるようにすれば、特別な、サーバ装置や、監視システムを新たに用意することなく、簡単に正規の名札表示装置１０を携帯していない不携帯者の存在を発見および知らせることが可能となり、不携帯者の存在を監視者以外の人も即座に判るセキュリティシステムを簡単に構築することができる。
【００６７】
（実施の形態２）
前記実施の形態１では、超音波送受信手段５が一つしか設けられてなく、受信した超音波の入射方向までは、分からなかったが、本実施の形態２では、受信した超音波のおよその入射方向までも検出して、不審者を確実に検出および特定することができるようにしたものである。
【００６８】
図９は、本実施の形態２の名札表示装置１０の構成を示すブロック図である。
【００６９】
図９において、本実施の形態２の名札表示装置１０では、１つの超音波送信手段５１と、受信した超音波の入射方向（角度）を検出するため距離を離した２つの超音波受信手段５２，５３とを有している。その他の構成は、図１に示す実施の形態１のものと同じなので、同一符号を付してその説明は省略する。
【００７０】
次に動作を説明する。なお、受信した超音波の入射方向を検出することを除いては、前記実施の形態１の動作と同じであるので、図２に示す実施の形態１のフローチャートを参照して、図８の具体例を参考に説明する。
【００７１】
本実施の形態２の場合、名札表示装置１０の処理は、電源投入により起動され、あらかじめ超音波を送信する時間間隔Ｔを記憶領域に設定されているので、コントローラ３が起動されると、名札表示装置１０の超音波送信手段５１が超音波を送信する。送信する際は、実施の形態１と同様に、名札表示装置１０が発信した超音波であることを示す特定のコードを載せて送る。
【００７２】
すると、例えば、図８（ａ）に示すように、名札表示装置１０が超音波を送信すると共に、その発信時刻を記憶する。その際、最初であるので、本実施の形態２の名札表示装置１０のコントローラ３は、正規の名札表示装置１０の数と、周囲の人数とを、それぞれ、０に設定して記憶する。
【００７３】
そして、ユーザＡの名札表示装置１０が反射波Ｑ１を受信すると、その反射波Ｑ１が反射波であるか否かを判断して（ステップ２０３）、反射波であるので（ステップ２０３“ＹＥＳ”）、その周波数ｆ１と、時間差ｔ１と、超音波の入射方向（角度）θ１を記憶する。なお、入射方向（角度）の測定に関しては、２つの超音波受信手段５２，５３へ入射する反射波Ｑ１の到達時間や、位相のずれ、さらには受信パワーの違いなどから超音波解析手段６が解析して判断する。ここで、もし、ユーザＡの周囲に人がいなく、ユーザＡのみの場合には、周囲の人数の数を０にする。
【００７４】
次に、前記実施の形態１の場合と同様に、超音波を発信するか否かを、タイマー等を呼び出して現在時刻と前の超音波発信時刻から判断し、超音波を発信した時刻からの時間が送信時間間隔Ｔより短い場合には、ステップ２０２の超音波受信処理に戻り（ステップ２０７）、図８（ｂ）に示すように、ユーザＢの名札表示装置１０からの超音波Ｒを受信する（ステップ２０２）。
【００７５】
そして、超音波Ｒが反射波かどうかを判断し（ステップ２０３）、反射波ではないので正規の超音波かどうかを判断する（ステップ２０４）。その際、超音波Ｒは、ユーザＢの名札表示装置１０からの正規の超音波であるので、正規の名札表示装置１０の数のカウントをひとつ加え、１とする。
【００７６】
次に、再度同様に、次の超音波を発信するか否かを、タイマー等を呼び出して現在時刻と、その前の超音波の発信時刻から判断し、まだ超音波を発信した時刻からの時間が送信時間間隔Ｔより短い場合には、ステップ２０２の超音波受信処理に戻り（ステップ２０７）、図８（ｂ）に示すように、続いて反射波Ｑ２を受信する（ステップ２０２）。
【００７７】
そして、反射波Ｑ２が反射波であるか否かを判断した際（ステップ２０３）、反射波であるので、反射波Ｑ２の周波数ｆ２と時間差ｔ２と入射方向（角度）θ２を記憶する。（ステップ２０３）。
【００７８】
次の超音波を発信するかを、タイマーを呼び出して現在時刻と発信時刻から判断する（ステップ２０７）。送信時間間隔Ｔを過ぎているので、ステップ２０１に戻り、超音波を送信する。
【００７９】
その結果、超音波解析手段６では、反射波Ｑ１，Ｑ２のｆ１とｆ２、ｔ１とｔ２、θ１とθ２とをそれぞれ比較し、それぞれ顕著に違うので、周囲の人数を２にする。ここで、周囲の人数と、正規の名札表示装置１０の数とを比較して正規の名札表示装置１０の不携帯者がいるか否かを判断する（ステップ２０８）。図８に示す例の場合、周囲の人数は２で、正規の名札表示装置１０の数は１であり（ステップ２０８）、違っているので、超音波解析手段６は、不携帯者がいると判断して（ステップ２０８“ＹＥＳ”）、実施の形態１の場合と同様に、不審者検出信号を送受信して（ステップ２０５）、他の名札表示装置１０および自身の名札表示装置１０にて表示を変え（ステップ２０６）、ステップ２０１に戻る。
【００８０】
なお、このような本実施の形態２における周囲の人数と、正規の名札表示装置１０の数との比較は、反射波Ｑ１，Ｑ２の入射方向（角度）θ１とθ２とを比較すること以外は、前記実施の形態１でも同様である。
【００８１】
このように、本実施の形態２によれば、超音波受信手段５２，５３を複数設け、受信した超音波の周波数と、到着時間だけでなく、入射方向（角度）までも検出するようにしたので、実施の形態１と同様に、不審者を簡単に検出することができるだけでなく、不審者が居るおよその方向までも検出することができ、不審者を確実に検出および特定することができる。
【００８２】
なお、前記実施の形態１，２では、各名札変更装置１０の表示部４の表示を変更する際、例えば、表示色や点滅等の変更することにより、不審者の発見を周囲に知らせるように説明したが、本発明では、これに限らず、音声や振動等により不審者の発見を周囲に知らせるようにしても勿論良い。
【００８３】
また、本実施の形態１，２では、各名札変更装置１０の超音波送受信手段５が発信する超音波の周波数は、一定として説明したが、本発明では、これに限らず、数時間毎などの所定期間毎に、あるいは任意の時間毎に、周波数を変更するようにしても、勿論良い。このようにすれば、たとえ不審者が正規の名札変更装置１０の超音波送受信手段５，超音波送信手段５１がある時点で発信する超音波の周波数までも模倣したとしても、正規の超音波の周波数が所定時間ごとに、あるいは任意の時間毎に変化する場合には、その変更のタイミングや変更後の周波数までを模倣することは困難であるので、各名札変更装置１０の超音波送受信手段５や超音波受信手段５２，５３が発信する超音波の周波数が一定の場合より、セキュリティを向上させることが可能となる。
【００８４】
また、本実施の形態１，２では、超音波の周波数により対面するユーザＡが正規の名札表示装置１０携帯者か否かを判断し、名札表示装置１０における表示部４の表示を変えることにより、正規の名札表示装置１０の不携帯者を検出し、その検出と同時に、通信手段２を介した無線通信によって、検出した名札表示装置１０の周囲にある名札表示装置１０の表示を変化させることにより、正規の名札表示装置１０不携帯者の存在を知らせることにより、周囲の人も即座に正規の名札表示装置１０不携帯者の存在に気付かせるシステムを構築するように説明したが、本発明では、正規の名札表示装置１０不携帯者を周囲に通知するために、通信手段２が必ずしも電波を使用する必要はなく、赤外線など、その他の通信方法を用いても勿論かまわない。
【００８５】
また、本実施の形態では、名札表示装置１０を図１や図９に示すようにハードウエア（回路）的に構成して説明したが、本発明では、これに限らず、例えば、ソフトウエア的、つまり、名札表示用プログラムを名札表示装置１０内の記憶領域１等のメモリに格納しておき、ＣＰＵ等のコントローラ３がそのプログラムを読み出して実行するようにしても勿論よい。
【産業上の利用可能性】
【００８６】
本発明にかかる名札表示装置、名札表示方法および名札表示用プログラムは、超音波を送信すると共に、超音波を受信して受信した超音波を解析して正規のものでない超音波を受信した場合、その旨を出力するようにしたので、正規の名札表示装置を携帯していなかったり、偽造等した不審者等が侵入しても、簡単かつ迅速に当該不審者等を検出することができる、という有利な効果を有し、屋内外における不審者検出のためのセキュリティシステムに有用である。また、例えば、同様の機構をカメラに装着し、超音波の周波数を検知して正規の名札表示装置でない場合のみ、レンズを超音波発信源に向けて撮影すれば夜間でも正規の名札表示装置の不携帯者のみを撮影できる、この点でも有用である。
【図面の簡単な説明】
【００８７】
【図１】本発明に係る実施の形態１の名札表示装置の構成図
【図２】名札表示装置が正規の名札表示装置不携帯者の検出処理を示すフローチャート
【図３】本実施の形態１の名札表示装置が不携帯者検出信号を受けた際の処理を示すフローチャート
【図４】（ａ），（ｂ）それぞれ、正規の名札表示装置を携帯せず超音波を発していない不審者と、正規の名札表示装置を携帯しているユーザＡとが対面通行する状態と、その際の超音波の状態を示す図
【図５】（ａ），（ｂ）それぞれ、正規の名札表示装置を携帯するユーザＡ、Ｂが対面通行する状態と、その際の超音波の状態を説明する図
【図６】（ａ），（ｂ）それぞれ、正規の名札表示装置を携帯するユーザＡと、正規の名札表示装置とは異なる超音波の周波数を発信する不正な名札表示装置を携帯する不審者が対面通行する状態と、その際の超音波の状態を説明する図
【図７】（ａ），（ｂ）それぞれ、正規の名札表示装置の保持者であるユーザＡと、正規でない名札表示装置の保持者である不審者および正規の名札表示装置の保持者であるユーザＢとが対面して接近する状態と、その際の超音波の状態を説明する図
【図８】（ａ），（ｂ）それぞれ、正規の名札表示装置の保持者であるユーザＡと、正規な名札表示装置を携帯していない不審者および正規の名札表示装置の保持者であるユーザＢとが対面して接近する状態と、その際の超音波の状態を説明する図
【図９】本発明の実施の形態２に係る名札表示装置の構成を示す図
【図１０】従来の不携帯者検出システムの構成を示す図
【図１１】従来の不携帯者検出システムの不携帯者検出処理を示すフローチャート
【図１２】従来の不携帯者検出システムにおける不携帯者の特定を示す図
【符号の説明】
【００８８】
１  記憶領域
２  通信手段
３  コントローラ
４  表示部
５  超音波送受信手段
６  超音波解析手段
１０，２０  名札表示装置
【図１】
2006227804.tif 000003
【図２】
2006227804.tif 000004
【図３】
2006227804.tif 000005
【図４】
2006227804.tif 000006
【図５】
2006227804.tif 000007
【図６】
2006227804.tif 000008
【図７】
2006227804.tif 000009
【図８】
2006227804.tif 000010
【図９】
2006227804.tif 000011
【図１０】
2006227804.tif 000012
【図１１】
2006227804.tif 000013
【図１２】
2006227804.tif 000014